(57)【要約】【課題】表示装置の表示画像に含まれる文字情報を携帯機器等の他のメディアに取り込み易い状態に変換して提供する画像表示装置を提供することである。【解決手段】この画像表示装置１は、表示装置３０に表示される画像中の文字情報を二次元コード化して表示装置３０に表示するものであって、前記画像の映像信号から文字情報データ２６を抽出する文字情報抽出手段１１と、抽出された文字情報データ２６から二次元コード２８を生成する二次元コード生成手段２７と、生成された二次元コード２８を映像信号と合成して表示装置３０に表示させる第１の画像合成手段２９とを備える。【選択図】図１
2009288588.tif 000002
【特許請求の範囲】
【請求項１】
表示装置に表示される画像中の文字情報を二次元コード化して前記表示装置に表示する画像表示装置であって、
前記画像の映像信号から文字情報データを抽出する文字情報抽出手段と、
抽出された前記文字情報データから二次元コードを生成する二次元コード生成手段と、
生成された前記二次元コードを前記映像信号と合成して前記表示装置に表示させる第１の画像合成手段と、
を備えることを特徴とする画像表示装置。
【請求項２】
請求項１に記載の画像表示装置であって、
前記表示装置に表示中の前記二次元コードの生成元の文字情報データと前記文字情報抽出手段で生成された新たな文字情報データとを比較し、それらの間に違いが有るか否かを判定する文字情報比較手段を更に備え、
前記二次元コード生成手段は、前記文字情報比較手段がそれらの間に違いが有ると判定した場合に、前記新たな文字情報データから新たな二次元コードを生成し、前記表示装置に表示中の二次元コードを前記新たな二次元コードに更新することを特徴とする画像表示装置。
【請求項３】
請求項１または請求項２に記載の画像表示装置であって、
前記表示装置に表示される前記二次元コードの生成元の文字情報データが抽出された画像を蓄積する画像蓄積送出手段と、
前記映像信号と前記画像蓄積送出手段に蓄積された前記画像とを選択的に前記第１の画像合成手段に出力する画像セレクタと、
とを更に備え、
前記表示装置に前記二次元コードが表示される場合は、前記画像セレクタにより前記画像蓄積送出手段に蓄積された前記画像が選択され、前記第１の画像合成手段により前記二次元コードが前記画像上に画像合成されて前記表示装置に表示されることを特徴とする画像表示装置。
【請求項４】
請求項１〜３の何れかに記載の画像表示装置であって、
前記表示装置に表示される前記二次元コードの生成元の前記文字情報データを蓄積する文字情報蓄積手段を更に備え、
前記二次元コード生成手段は、前記文字情報蓄積手段に蓄積された前記文字情報データから二次元コードを生成して前記表示装置に表示させることを特徴とする画像表示装置。
【請求項５】
請求項１〜３の何れかに記載の画像表示装置であって、
前記表示装置に表示される前記二次元コードと、その二次元コードの生成元の文字情報データが抽出された画像とを互いに対応させて蓄積する情報蓄積手段を更に備え、
前記情報蓄積手段は、それに蓄積された前記二次元コードまたは前記画像を前記第１の画像合成手段を介して前記表示装置に表示させることを特徴とする画像表示装置。
【請求項６】
請求項５に記載の画像表示装置であって、
前記情報蓄積手段は、更に前記表示装置に表示される前記二次元コードの生成元の前記文字情報データを前記二次元コードに対応させて蓄積し、それに蓄積された前記二次元コード、それに対応した前記文字情報データまたは前記画像を選択的に前記第１の画像合成手段を介して前記表示装置に表示させることを特徴とする画像表示装置。
【請求項７】
請求項１または請求項２に記載の画像表示装置であって、  
前記表示装置に表示される前記二次元コードと、その生成元の文字情報データと、その文字情報データが抽出された画像とを互いに対応させて蓄積する情報蓄積手段と、
前記情報蓄積手段に蓄積された前記二次元コードとそれに対応した前記画像または前記文字情報データとを画像合成して合成画像を作成する第２の画像合成手段と、
前記映像信号と前記合成画像とを選択的に前記第１の画像合成手段に出力する画像セレクタとを更に備え、
前記第２の画像合成手段は、前記合成画像を作成して前記画像セレクタを介して前記表示装置に表示させることを特徴とする画像表示装置。
【請求項８】
請求項１または請求項２に記載の画像表示装置であって、
前記表示装置に表示される前記二次元コードと、その生成元の文字情報データと、その文字情報データが抽出された画像とを互いに対応させて蓄積する情報蓄積手段と、
前記情報蓄積手段に蓄積された前記画像のサムネール画像を作成し、前記情報蓄積手段に蓄積された全てまたは一部の前記二次元コードとそれに対応した前記文字情報データまたは／およびそれに対応した前記画像の前記サムネール画像とを画像合成して編集画像を作成する画像編集手段と、
前記映像信号と前記編集画像とを選択的に前記第１の画像合成手段に出力する画像セレクタとを更に備え、
前記画像編集手段は、前記編集画像を作成して前記画像セレクタを介して前記表示装置に表示させることを特徴とする画像表示装置。
【請求項９】
表示装置に表示される画像中の文字情報を二次元コード化して前記表示装置に表示する画像表示装置であって、
前記画像の映像信号から文字情報データを抽出する文字情報抽出手段と、
抽出された前記文字情報データから二次元コードを生成する二次元コード生成手段と、
前記表示装置に表示される前記二次元コードと、その生成元の文字情報データと、その文字情報データが抽出された画像とを互いに対応させて蓄積する情報蓄積手段と、
前記情報蓄積手段に蓄積された前記画像のサムネール画像を作成し、編集画像中の部分領域に前記映像信号による動画像を表示すると共に、前記編集画像中の他の領域に、前記情報蓄積手段に蓄積された全てまたは一部の前記二次元コードとそれに対応した前記文字情報データまたは／およびそれに対応した前記画像の前記サムネール画像とを表示する様に編集画像を作成し、その編集画像を前記表示装置に表示する画像編集手段と、
を備えることを特徴とする画像表示装置。
【請求項１０】
請求項９に記載の画像表示装置であって、
前記画像編集手段は、前記映像信号に前記二次元コード生成手段で生成された前記二次元コードを合成して合成画像を作成し、前記合成画像と前記編集画像とを選択的に前記表示装置に表示することを特徴とする画像表示装置。
【請求項１１】
請求項１０に記載の画像表示装置であって、
前記表示装置に表示中の前記二次元コードの生成元の文字情報データと前記文字情報抽出手段で生成された新たな文字情報データとを比較し、それらの間に違いが有るか否かを判定する文字情報比較手段を更に備え、
前記二次元コード生成手段は、前記表示装置に前記合成画像が表示されている場合に、前記文字情報比較手段が違いが有ると判定した場合に、前記新たな文字情報データから新たな二次元コードを生成し、前記表示装置に表示中の二次元コードを前記画像編集手段を介して前記新たな二次元コードに更新することを特徴とする記載の画像表示装置。
【発明の詳細な説明】
【技術分野】
【０００１】
本発明は、表示装置に表示される画像中の文字情報を抽出して二次元コード化して表示装置に表示する画像表示装置に関するものである。
【背景技術】
【０００２】
従来の表示装置（例えばテレビ）は、チューナー等から受信した放送番組や、外部から入力される映像信号を映像として出力するものである。この様な表示装置の主たる使用方法としては、時間的に変化する映像を受動的に視聴することである。これらの映像の中には、一旦保存して後で再度確認したい情報を含むものがある。例えば、料理のレシピ、店の住所、電話番号、インターネットのＵＲＬおよびイベント告知等の情報を含むものである。
【０００３】
これらの情報を保存する手段としては、映像そのものを保存するビデオテープレコーダーやＨＤＤレコーダー等の映像ストレージ機器がある。この様に映像として記録しておくと、後に再生すれば、料理のレシピ等は映像そのもので確認することが出来る。また、画面のプリント機能を備えた表示装置であれば、必要な情報の表示された画像をプリントすることで、情報の保存を行うことが出来る。また、カメラ機器で画像を撮影することで、同等の効果を得ることが出来る。また、最も原始的な方法として筆記用具によりメモを取ることでも同等の効果が得られる。
【０００４】
尚、この様な背景技術に関連する先行技術文献として特許文献１が知られている。
【０００５】
【特許文献１】特開２００６−２２７９３１号公報
【発明の開示】
【発明が解決しようとする課題】
【０００６】
しかし、これらの情報を保存する手段において、映像ストレージ機器を用いる場合は、必要な情報が表示された映像を録画できている事が前提となる。よって、録画した映像の視聴中に必要な情報が発生した場合は、その情報は既に保存されているので後で再生できる。しかし、録画していない映像の視聴中に必要な情報が発生した場合は、その発生時点で録画を開始してもその情報の保存が間に合わない場合がある。
【０００７】
また画面のプリント機能を備えた表示装置の場合も、情報が表示された画像をキャプチャーできなければ、その情報は保存できない。またメモを取る場合も、店の住所や電話番号等の様に情報量が少なければ、メモを取ることができるが、料理レシピ等の様に情報量が多くなると、もやはメモを取る事はできない。
【０００８】
また、映像ストレージ機器で情報を保存できた場合でも、住所や電話番号等の情報は表示装置が設置されている場所から持ち出して活用しようとすれば、別の携帯可能なメディアに変換する必要があり、新たな作業が発生する。
【０００９】
本発明は、上記のような問題点を解決するためになされたものであり、表示装置の表示画像に含まれる文字情報を他のメディアに取り込み易い状態に変換して提供する画像表示装置を提供することである。
【課題を解決するための手段】
【００１０】
上記課題を解決する為に、本発明の第１の形態は、表示装置に表示される画像中の文字情報を二次元コード化して前記表示装置に表示する画像表示装置であって、前記画像の映像信号から文字情報データを抽出する文字情報抽出手段と、抽出された前記文字情報データから二次元コードを生成する二次元コード生成手段と、生成された前記二次元コードを前記映像信号と合成して前記表示装置に表示させる第１の画像合成手段と、を備えるものである。
【発明の効果】
【００１１】
本発明の第１の形態によれば、二次元コード読取機能を備えた携帯端末等にその表示画像の文字情報を瞬時に取り込むことができる。よって、表示画像中の有用な文字情報を他のメディアに取り込み易い状態に変換して提供できる。
【発明を実施するための最良の形態】
【００１２】
実施の形態１．
この実施の形態に係る画像表示装置は、表示装置に表示される画像中に含まれる文字情報を抽出して二次元コード化して、その表示装置に表示するものである。
【００１３】
この画像表示装置１は、図１（ａ）の様に、例えば映像入力用のＳ端子やＲＣＡ端子等の映像入力端子１３０と、チューナー等の映像入力手段１３１と、Ａ／Ｄコンバータ２と、コーディック４と、デコーダ６と、文字情報抽出器（文字情報抽出手段）１１と、二次元コード生成器（二次元コード生成手段）２７と、画像合成器（第１の画像合成手段）２９と、表示装置３０とを備えている。
【００１４】
文字情報抽出器１１は、図２（ａ）の様に、フレームバッファ１２と、ノイズ除去部１３と、文字抽出処理部１４と、正規化処理部１５と、特徴抽出処理部１６と、文字認識処理部１７と、辞書ＲＯＭ１８と、文字データ生成部１９とを備えている。
【００１５】
映像入力端子１３０または映像入力手段１３１からの映像信号３は、Ａ／Ｄコンバータ２でデジタル信号化され、コーデック４でコーデック処理され、デコーダ６に出力される。デコーダ６には、コーディック６からの映像信号５と、デジタルチューナー７からのＭＰＥＧ−ＴＳ等のストリーム８と、ＨＤＭＩ（High-Definition Multimedia Interface）等からのストリーム９とが入力される。デコーダ６は、これらの入力のうち、使用者により選択されたものをデコードして、映像信号１０として文字情報抽出器１１および画像合成器２９に出力する。
【００１６】
文字情報抽出器１１に出力された映像信号１０は、図２（ａ）の様に、まずフレーム画像毎にフレームバッファ１２に保存される。そしてフレームバッファ１２に保存されたフレーム画像２０は、ノイズ除去部１３で文字認識に不要なノイズが除去される。ノイズ除去部１３は、例えばローパスフィルタであり、孤立点ノイズの様な独立した高周波成分の大きい部分を除去する。
【００１７】
そしてノイズ除去部１３でノイズ除去されたフレーム画像２０は、次に文字抽出処理部１４で、そのフレーム画像２０中から文字エリアが抽出される。具体的には文字抽出処理部１４は、図２（ｂ）の様に、例えばフレーム画像２０にグレースケール処理や２値化処理を行い、エッジ成分の分布から文字としての特徴が顕著であるエリアを特定し、そのエリアを文字エリア２１として抽出する。
【００１８】
そして文字抽出処理部１４で抽出された文字エリア２１は、正規化処理部１５で、そのエリア２１に含まれる文字画像毎に正規化される。フレーム画像２０に含まれる文字画像は、常に一定方向の配列または一定の文字サイズとは限らず、傾いたものや変形したものも含まれる。そのため、後段の文字認識処理の認識率を上げるために、フレーム画像２０に含まれる文字画像を正規化するのである。具体的には正規化処理部１５は、例えば、文字エリア２１をエッジ情報を基に更に１文字分のエリア毎に区分し、それら各１文字分のエリアの外接矩形を求め、それら各外接矩形が正規化された方形になる様に各１文字分のエリアに拡大・縮小等の画像処理を行うことで、文字エリア２１を文字画像毎に正規化する。これにより、例えば図２（ａ）の文字画像２１ａは、例えば図２（ｃ）の様に正規化された文字画像２２になる。
【００１９】
そして正規化された文字画像２２は、特徴抽出処理部１６で特徴抽出される。具体的には特徴抽出処理部１６は、例えば文字画像２２を更に格子状に複数のエリアに分割し、当該文字画像２２の特徴としてそれぞれのエリア内の線がどの方向に向いているかの情報を抽出し、分割したエリア全ての当該情報を取得して、当該文字画像２２の特徴に関する対象文字特徴情報２３を作成する。
【００２０】
そして文字認識処理部１７で、特徴抽出処理部１６で抽出された対象文字特徴情報２３に基づき、フレーム画像２０から抽出された全ての文字画像２２が文字認識される。具体的には文字認識処理部１７は、辞書ＲＯＭ１８から文字特徴情報２４を順次取り出し、それら各文字特徴情報２４と当該対象文字特徴情報２３とを比較し、それら各文字特徴情報２４のうちで当該対象文字特徴情報２３と一番類似しているものを、当該文字画像２２の対象文字として決定する。これにより当該文字画像２２を当該対象文字として文字認識する。
【００２１】
そして文字認識処理部１７の認識結果２５は、文字データ生成部１９に送られる。文字データ生成部１９は、認識結果２５をＡＳＣＩＩ等の文字コードに変換後、保存し、フレーム画像２０の全ての文字についての文字認識処理が完了した時点で、保存した文字列を文字情報データ２６として二次元コード生成器２７に出力する。
【００２２】
そして二次元コード生成器２７では、その文字情報データ２６から二次元コード（例えばＱＲコード）２８が生成される。二次元コード２８は、例えば図２の様に、略正方形をしたコードであり、３方の隅に配置された正方形の位置検出パターン２８ａと、多数のセルで埋められたデータ領域２８ｂとから成る。データ領域２８ｂには、セルの組み合わせにより、文字や数字や記号などを記録することができる。
【００２３】
そして二次元コード生成器２７で生成された二次元コード２８は、画像合成器２９で映像信号１０と合成され、表示装置３０に表示されている画像上に表示される。これにより表示装置３０に表示されている画像中の文字情報が二次元コード化されて表示装置３０に表示される。
【００２４】
以上の様に構成された画像表示装置１によれば、表示装置３０の表示画像中の文字情報を二次元コード化して表示装置３０に表示するので、二次元コード読取機能を備えた携帯端末等にその表示画像の文字情報を瞬時に取り込むことができる。よって、表示画像中の有用な文字情報を他のメディアに取り込み易い状態に変換して提供できる。
【００２５】
実施の形態２．
この実施の形態に係る表示画像装置１Ｂは、実施の形態１において更に、表示装置３０の表示画像中の文字情報に変化がある都度、表示中の二次元コード２８を更新する様にしたもである。
【００２６】
この表示画像装置１Ｂは、図３の様に、実施の形態１において、表示装置３０に表示中の二次元コード２８の生成元の文字情報データ２６（以後２６ａと呼ぶ）を格納するメモリ１０１と、文字情報抽出器１１で生成された新たな文字情報データ２６（以後２６ｂと呼ぶ）とメモリ１０１に格納された文字情報データ２６ａとを比較し、その比較結果に基づき表示装置３０に表示中の二次元コード２８を更新するか否かを判定する文字情報比較器（文字情報比較手段）１０２とを更に備えて構成される。
【００２７】
メモリ１０１は、例えばＲＡＭ系のメモリであり、文字情報データ２６が十分格納できるサイズのものである。
【００２８】
文字情報比較器１０２は、表示装置３０で表示中の二次元コード２８の生成元の文字情報データ２６ａを格納する比較元文字情報データ用メモリ１０４と、文字情報抽出器１１で生成された新たな文字情報データ２６ｂを格納する比較対象文字情報データ用メモリ１０５と、それら２つの文字情報データ２６ａ，２６ｂの比較（例えばビットまたはデータブロックの比較）を行う第１の差分器１０６と、第１の差分器１０６の差分結果１０７とメモリ１０４内の文字情報データ２６ａとの比較を行う第２の差分器１０８と、２つの差分器１０６，１０８の差分結果１０７，１０９に基づき表示装置３０で表示中の二次元コード２８を更新するか否かを判定する判定器１１０とを備えている。
【００２９】
この表示画像装置１Ｂでは、実施の形態１と同様に、二次元コード生成器２７で、文字情報抽出器１１からの文字情報データ２６から二次元コード２８が生成され、画像合成器２９で、その二次元コード２８とデコーダ６からの映像信号１０とが画像合成され、表示装置３０にその映像信号１０による画像と共にその二次元コード２８が表示される。
【００３０】
その際、この実施の形態では、二次元コード生成器２７から画像合成器２９に二次元コード２８が出力されると（従って表示装置３０に二次元コード２８が表示されると）、その二次元コード２８の生成元の文字情報データ２６（２６ａ）が二次元コード生成器２７からメモリ１０１に格納される。
【００３１】
そして文字情報抽出器１１で新たな文字情報データ２６（２６ｂ）が生成されると、その文字情報データ２６ｂは、二次元コード生成器２７および文字情報比較器１０２に出力される。
【００３２】
そして文字情報比較器１０２では、その新たな文字情報データ２６ｂがメモリ１０５に格納されると共に、メモリ１０１内の文字情報データ２６ａがメモリ１０４に格納される。そして第１の差分器１０６で、各メモリ１０４，１０５内の文字情報データ２６ａ，２６ｂの比較が行われ、その差分結果（第１の差分結果）１０７が判定器１１０および第２の差分器１０８に出力される。そして第２の差分器１０８で、メモリ１０４内の文字情報データ２６ａと第１の差分器１０６の差分結果１０７との比較が行われ、その差分結果（第２の差分結果）１０９が判定器１１０に出力される。
【００３３】
そして判定器１１０で、第１および第２の比較結果１０７，１０９に基づき、各文字情報データ２６ａ，２６ｂ間に違いが有るか否かおよび新たな文字情報データ２６ｂの情報内容に文字情報が有るか否かが判定され、その判定結果に基づき表示装置３０に表示中の二次元コード２８を更新するか否かが判定される。
【００３４】
より詳細には、判定器１１０では、第１の比較結果１０７が「０」または第２の差分結果１０９が「０」の場合は、各文字情報データ２６ａ，２６ｂ間に違いが無いまたは新たな文字情報データ２６ａの情報内容に文字情報が無いと判定され、その結果、表示装置３０に表示中の二次元コード２８を更新しないと判定される。この判定により、二次元コード生成器２７から文字情報データ２６ａが画像合成器２９に出力され続けて、表示装置３０に表示中の二次元コード２８が更新されずにそのまま表示される。他方、第１の差分情報１０７が「０」以外の場合は、各文字情報データ２６ａ，２６ｂ間に違いが有り且つ新たな文字情報データ２６ｂの情報内容に文字情報が有ると判定され、その結果、表示装置３０に表示中の二次元コード２８を更新すると判定される。この判定により、二次元コード生成器２７で、文字情報抽出器１１からの当該新たな文字情報データ２６ａから二次元コード２８が生成され、画像合成器２９で、その二次元コード２８とデコーダ６からの映像信号１０とが画像合成されて表示装置３０に表示される。これにより、表示装置３０に表示中の二次元コード２８が、新たな文字情報データ２６ｂから生成された新たな二次元コード２８に更新される。そして二次元コード生成器２７によりその新たな文字情報データ２６ａがメモリ１０１に上書き格納される。以下、同様の処理が繰り返される。
【００３５】
以上の様に構成された画像表示装置１Ｂによれば、表示装置３０の表示画像中の文字情報に変化がある都度、表示画像上に表示中の二次元コード２８を更新するので、表示画像中に必要な文字情報が表示されている時に表示画像上の二次元コードを読み取ることで瞬時に文字情報を取得できる。
【００３６】
実施の形態３．
この実施の形態に係る画像表示装置１Ｃは、実施の形態２において更に、同じ二次元コード２８が表示されている間、表示画像としてその二次元コード２８の生成元の文字情報データ２６を抽出したフレーム画像２０を表示する様にしたものである。即ち表示装置３０に、表示画像中の文字情報に変化があるまで、その文字情報の二次元コード２８と、表示画像としてその二次元コード２８の生成元の文字情報データ２６を抽出したフレーム画像２０とを表示する様にしたものである。
【００３７】
この画像表示装置１Ｃは、図４の様に、実施の形態２において、表示装置３０に表示される二次元コード２８の生成元の文字情報データ２６を抽出したフレーム画像２０を蓄積する画像蓄積送出手段１２０と、デコーダ６からの映像信号１０と画像蓄積送出手段１２０に蓄積された当該フレーム画像２０とを選択的に画像合成器２９に出力する画像セレクタ１２１とを更に備えて構成される。
【００３８】
画像蓄積送出手段１２０は、フラッシュメモリやＨＤＤ等の不揮発性メモリやＲＡＭなどのメモリである。
【００３９】
この画像表示装置１Ｃでは、実施の形態２と同様に、文字情報抽出器１１で、デコーダ６からの映像信号１０がフレーム画像毎にフレームバッファ１２に格納され、フレーム画像２０毎に文字情報データ２６（２６ｂ）が抽出される。そして文字情報比較器１０２の判定器１１０で、その新たな文字情報データ２６ｂと、表示装置３０に表示中の二次元コード２８の生成元の文字情報データ２６ａとに基づき、表示装置３０に表示中の二次元コード２８を更新するか否か判定される。そしてその判定の結果、更新する場合は、二次元コード生成器２７で、その新たな文字情報データ２６ｂから新たな二次元コード２８が生成され、表示装置３０に表示中の二次元コード２８がその新たな二次元コード２８に更新される。
【００４０】
そして判定器１１０が上記の判定を行うと、フレームバッファ１２に次のフレーム画像２０が格納され、その次のフレーム画像２０に対し、各部１１，１０２，２８で上記と同様の処理が行われる。
【００４１】
その際、上記の判定の結果、表示装置３０に表示中の二次元コード２８を更新する場合は、バッファメモリ１２に格納されているフレーム画像（即ち上記の新たな文字情報データ２６ｂが抽出されたフレーム画像）２０が画像蓄積送出手段１２０に蓄積された後、次のフレーム画像２０がフレームバッファ１２に格納される。そして、実施の形態２と同様に、二次元コード生成器２７で、文字情報抽出器１１で生成された新たな文字情報データ２６ｂから新たな二次元コード２８が生成されて画像合成器２９に出力される。そして画像セレクタ１２１で、画像蓄積送出手段１２０に蓄積された上記のフレーム画像（即ち当該新たな文字情報データ２６ｂが抽出されたフレーム画像）２０が選択され、画像合成器２９で、そのフレーム画像２０上に当該新たな二次元コード２８が画像合成されて、表示装置３０に表示される。尚、画像セレクタ１２１では、表示装置３０に表示された当該二次元コードが更新されるまで、そのフレーム画像２０を選択し続ける。これにより表示装置３０に、表示画像中の文字情報に変化があるまで、その文字情報の二次元コード２８と、表示画像としてその二次元コード２８の生成元の文字情報データ２６を抽出したフレーム画像２０とが表示される。
【００４２】
以上の様に構成された画像表示装置１Ｃによれば、表示装置３０に、表示画像中の文字情報に変化があるまで、その文字情報の二次元コード２８と、表示画像としてその二次元コード２８の生成元の文字情報データ２６を抽出したフレーム画像２０とが表示されるので、二次元コード２８の内容を当該フレーム画像２０で確認して、文字情報を取得する時間に余裕ができる。
【００４３】
実施の形態４．
この実施の形態に係る画像表示装置１Ｄは、図５の様に、実施の形態２において、表示装置３０に二次元コード化されて表示される文字情報データ２６を蓄積する文字情報蓄積手段１２２と、文字情報蓄積手段１２２に蓄積された文字情報データ２６を二次元コード化して表示装置３０に表示させる為の操作を入力する操作部１０３とを更に備えるものである。
【００４４】
操作部１０３は、画像表示装置１Ｄに組み付けられたものでも、リモコン式であってもどちらでも良い。
【００４５】
文字情報蓄積手段１２２は、例えばフラッシュメモリやＨＤＤ等の不揮発性メモリである。
【００４６】
この画像表示装置１Ｄでは、文字情報比較部１０２の判定器１１０で、表示装置３０に表示中の二次元コード２８を更新すると判定された場合、メモリ１０５内の新たな文字情報データ２６ｂが文字情報蓄積手段１２２に蓄積される。そして操作部１０３に読出指示の操作を入力すると、二次元コード生成器２７で、文字情報蓄積手段１２２に蓄積された当該文字情報データ２６ｂから二次元コード２８が生成され、その二次元コード２８が画像合成器２９に出力され、表示装置３０に表示される。この様にして操作部１０３の操作で、文字情報蓄積手段１２２に蓄積された当該文字情報データ２６ｂが二次元コード化されて表示装置３０に表示される。
【００４７】
以上の様に構成された画像表示装置１Ｄによれば、文字情報蓄積手段１２２に文字情報データ２６を蓄積するので、後に文字情報蓄積手段１２２から文字情報データ２６を呼び出して二次元コード化して表示装置３０に表示できる。
【００４８】
実施の形態５．                                                            
この実施の形態に係る画像表示装置１Ｅは、図６（ａ）の様に、実施の形態２において、表示装置３０に表示される二次元コード２８とその生成元の文字情報データ２６が抽出されたフレーム画像２０とを互いに対応させて蓄積する情報蓄積手段１２３と、情報蓄積手段１２３に蓄積された二次元コード２８およびフレーム画像２０を表示装置３０に表示させる為の操作を入力する操作部１０３とを更に備えるものである。
【００４９】
情報蓄積手段１２３は、例えばフラッシュメモリやＨＤＤ等の不揮発メモリや、ＲＡＭなどのメモリである。情報蓄積手段１２３は、文字情報抽出器１１中のフレームバッファ１２および二次元コード生成器２７に接続されている。
【００５０】
この画像表示装置１Ｅでは、実施の形態２と同様に、文字情報抽出器１１で、デコーダ６からの映像信号１０がフレーム画像毎にフレームバッファ１２に格納され、フレーム画像２０毎に文字情報データ２６（２６ｂ）が抽出される。そして文字情報比較器１０２の判定器１１０で、その新たな文字情報データ２６ｂと、表示装置３０に表示中の二次元コード２８の生成元の文字情報データ２６ａとに基づき、表示装置３０に表示中の二次元コード２８を更新するか否か判定される。そしてその判定の結果、更新する場合は、二次元コード生成器２７で、その新たな文字情報データ２６ｂから新たな二次元コード２８が生成され、表示装置３０に表示中の二次元コード２８がその新たな二次元コード２８に更新される。
【００５１】
そして判定器１１０が上記の判定を行うと、フレームバッファ１２に次のフレーム画像２０が格納され、その次のフレーム画像２０に対し、各部１１，１０２，２８で上記と同様の処理が行われる。
【００５２】
その際、上記の判定の結果、表示装置３０に表示中の二次元コード２８を更新する場合は、バッファメモリ１２に格納されているフレーム画像（即ち上記の新たな文字情報データ２６ｂが抽出されたフレーム画像）２０が情報蓄積手段１２３に蓄積された後、次のフレーム画像２０がフレームバッファ１２に格納される。そして実施の形態２と同様に、二次元コード生成器２７で、文字情報抽出器１１で生成された新たな文字情報データ２６ｂから二次元コード２８が生成される。そしてその二次元コード２８は、画像合成器２９でデコーダ６からの映像信号１０と合成されて表示装置３０に表示されると共に、情報蓄積手段１２３に出力されて上記のフレーム画像２０に対応されて情報蓄積手段１２３に蓄積される。尚、図６（ｂ）は、情報蓄積手段１２３に、二次元コード２８とフレーム画像２０とを対応させて蓄積した状態を示した図である。
【００５３】
そして操作部１０３の操作により、情報蓄積手段１２３に蓄積されたフレーム画像２０またはそれに対応した二次元コード２８を選択的に画像合成器２９を介して表示装置３０に表示させる事ができる。これにより、操作部１０３の操作により情報蓄積手段１２３に蓄積されたフレーム画像２０を順に表示装置３０に表示させて所望の文字情報を表示したフレーム画像２０を見つけ、操作部１０３の操作によりそのフレーム画像２０に対応した二次元コード２８を表示装置３０に表示させることができる。この様に、情報蓄積手段１２３に蓄積されたフレーム画像２０に基づき所望の文字情報を検索して、情報蓄積手段１２３に蓄積された二次元コード２８の中から所望の二次元コード２８を見付けて表示装置３０に表示させる事ができる。
【００５４】
以上の様に構成された画像表示装置１Ｅによれば、情報蓄積手段１２３に、二次元コード２８と、その生成元の文字情報データ２６を抽出したフレーム画像２０とを対応させて蓄積するので、そのフレーム画像２０を基にして二次元コード２８を検索でき、これにより容易に二次元コード２８を検索できる。
【００５５】
実施の形態６．
この実施の形態に係る画像表示装置１Ｆは、図７（ａ）の様に、実施の形態５において更に、情報蓄積手段１２３に、二次元コード２８およびフレーム画像２０に更にその二次元コード２８の生成元の文字情報データ２６を対応させて蓄積する様にしたものである。
【００５６】
この画像表示装置１Ｆでは、情報蓄積手段１２３は、フレームバッファ１２、二次元コード生成器２７および文字データ生成部１９に接続されている。そして文字情報比較器１０２の判定器１１０が、表示装置３０に表示中の二次元コード２８を更新すると判定した場合に、情報蓄積手段１２３に、二次元コード生成器２７で生成された新たな二次元コード２８と、フレームバッファ１２に格納されているフレーム画像（即ち上記の新たな二次元コード２８の生成元の文字情報データ２６が抽出されたフレーム画像）２０と、文字データ生成部１９で生成された文字情報データ（即ち上記の新たな二次元コード２８の生成元の文字情報データ）２６とが互いに対応されて蓄積される。尚、図７（ｂ）は、情報蓄積手段１２３に、二次元コード２８とフレーム画像２０と文字情報データ２６とを対応させて蓄積した状態を示した図である。
【００５７】
そして操作部１０３の操作により、情報蓄積手段１２３に蓄積されたフレーム画像２０、文字情報データ２６またはそれらに対応した二次元コード２８が選択的に画像合成器２９を介して表示装置３０に表示させる事ができる。これにより、情報蓄積手段１２３に蓄積されたフレーム画像２０または文字情報データに基づき所望の文字情報を検索して、情報蓄積手段１２３に蓄積された二次元コード２８の中から所望の二次元コード２８を見付けて表示装置３０に表示させる事ができる。
【００５８】
以上の様に構成された画像表示装置１Ｆによれば、情報蓄積手段１２３に、二次元コード２８と、その生成元の文字情報データ２６と、その文字情報データ２６を抽出したフレーム画像２０とを対応させて蓄積するので、そのフレーム画像２０または文字情報データ２６を基にして二次元コード２８を検索でき、これにより容易に二次元コード２８を検索できる。
【００５９】
実施の形態７．
この実施の形態に係る画像表示装置１Ｇは、実施の形態６において、情報蓄積手段１２３に蓄積された二次元コード２８とそれに対応するフレーム画像２０または文字情報データ２６とを画像合成して表示装置３０に表示する様にしたものである。
【００６０】
この画像表示装置１Ｇは、図８（ａ）の様に、実施の形態６において更に、情報蓄積手段１２３に蓄積された二次元コード２８とそれに対応するフレーム画像２０または文字情報データ２６を画像合成する画像合成器（第２の画像合成手段）１２５と、画像合成器１２５で画像合成された合成画像１２８とデコーダ６からの映像信号１０とを選択的に表示装置３０に表示させる画像セレクタ１２１と、画像合成器１２５に上記の合成画像１２８を作成させて表示装置３０に表示させる為の操作を入力する操作部１０３とを更に備えたものである。
【００６１】
尚、図８（ｂ）は、情報蓄積手段１２３に、二次元コード２８とフレーム画像２０と文字情報データ２６とを対応させて蓄積した状態を示した図である。
【００６２】
尚、画像合成器（第１の画像合成手段）２９は、デコーダ１０と画像セレクタ１２１との間に接続されている。
【００６３】
画像合成手段１２５は、操作部１０３からの操作に応じて、情報蓄積手段１２３に蓄積された二次元コード２８とそれに対応したフレーム画像２０または文字情報データ２６とを画像合成して合成画像１２８を作成する。合成画像１２８は、例えば、フレーム画像２０上にそれに対応する二次元コード２８を画像合成するか、または二次元コード２８とそれに対応する文字情報データ２６とを一つの画像上に画像合成して作成される。具体的には例えば、画像合成手段１２５は、フレーム画像２０または文字情報データ２６を画像データファイルを内臓するビデオバッファ等に画像展開し、更に二次元コード２８を上記の画像展開したビデオバッファの一部に配置して合成画像１２８を作成する。
【００６４】
そしてその作成された合成画像１２８は、画像セレクタ１２１を介して表示装置３０に表示される。これにより、操作部１０３の操作により、情報蓄積手段１２３に蓄積された各二次元コード２８を選択的に、それに対応するフレーム画像２０または文字情報データ２６と同時に表示装置３０に表示できる。
【００６５】
以上の様に構成された画像表示装置１Ｇによれば、情報蓄積手段１２３に蓄積された各二次元コード２８を選択的に、それに対応するフレーム画像２０または文字情報データ２６と同時に表示装置３０に表示できるので、二次元コード２８の検索の際に、二次元コード２８とそれに対応するフレーム画像２０または文字情報データ２６とを同時に見ながら検索でき、より一層容易に検索できる。
【００６６】
実施の形態８．
この実施の形態に係る画像表示装置１Ｈは、図９（ａ）の様に、実施の形態６において、情報蓄積手段１２３に蓄積された二次元コード２８、フレーム画像２０および文字情報データ２６を画像編集する画像編集手段１２７と、画像編集手段１２７で画像編集された編集画像１２８とデコーダ６からの映像信号１０とを選択的に表示装置３０に表示させる画像セレクタ１２１と、画像編集手段１２７に編集画像１２８を作成させて表示装置３０に表示させる為の操作を入力する操作部１０３とを更に備えたものである。
【００６７】
尚、図９（ｂ）は、情報蓄積手段１２３に、二次元コード２８とフレーム画像２０と文字情報データ２６とを対応させて蓄積した状態を示した図である。
【００６８】
画像編集手段１２７は、操作部１０３からの操作に応じて、情報蓄積手段１２３に蓄積された各フレーム画像２０のサムネール画像２０ａを作成し、情報蓄積手段１２３に蓄積された全てまたは一部の二次元コード２８とそれに対応する文字情報データ２６とそれに対応する上記のサムネール画像２０ａとを互いに対応させて１つの画像上に画像編集して、編集画像１２８を作成する。
【００６９】
より詳細には画像編集手段１２７は、図１０の様に、例えば、画像入力セレクタ１２７ａと、一時記憶用メモリ１２７ｂと、作業用フレームバッファ１２７ｃと、デコード手段１２７ｄと、画像処理手段１２７ｅとを備えている。画像入力セレクタ１２７ａは、情報蓄積手段１２３からの二次元コード２８、フレーム画像２０および文字情報データ２６の読み出しを行い、画像処理手段１２７ｅは、画像の縮小、画面の構成および文字情報の画像への変換を行う。
【００７０】
この構成により、画像蓄積手段１２３に蓄積されたフレーム画像２０、二次元コード２８および文字情報２６は、画像入力セレクタ１２７ａにより読み出されて、一時記憶用メモリ１２７ｂに格納される。そしてフレーム画像２０は、デコード手段１２７ｄによりデータから画像に復調され、更に画像処理手段１２７ｅにより縮小されてサムネール画像２０ａにされ、再び一時記憶用メモリ１２７ｂに格納される。また一時記憶用メモリ１２７ｂに格納された二次元コード２８は、デコード手段１２７ｄによりデータから画像に復調され、再び一時記憶用メモリ１２７ｂに格納される。また一時記憶用メモリ１２７ｂに格納された文字情報データ２６は、デコード手段１２７ｄにより復調され、画像処理手段１２７ｅにより文字画像に変換されて、再び一時記憶用メモリ１２７ｂに格納される。そしてそれらサムネール画像２０ａ、画像化された二次元コード２８および文字情報データ２６は、画像処理手段１２７ｅにより作業用フレームバッファ１２７ｃに配置されて、編集画像１２８が作成される。そしてその編集画像１２８は、画像セレクタ１２１を介して表示装置３０に表示される。
【００７１】
ここでは、編集画像１２８は、図９（ａ）の画像３０ａの様に、互いに対応したサムネール画像２０ａ、二次元コード２８および文字情報データ２８が例えば横一列に配置されて構成されている。そして情報蓄積手段１２３に、互いに対応したフレーム画像２０、二次元コード２８および文字情報データ２８の組が複数蓄積されている場合は、画像３０ａの様に、それら各組のサムネール画像２０ａ、二次元コード２８および文字情報データ２８は、画像３０ａの上から順に並べて一覧状に配置されて構成される。
【００７２】
これにより、操作部１０３の操作により、情報蓄積手段１２３に蓄積された全部または一部の二次元コード２８とそれに対応するフレーム画像２０および文字情報データ２６とを互いに対応させて同時に表示装置３０に表示できる。特にフレーム画像２０はサムネール画像化されて表示されるので、複数の二次元コード２８とそれに対応するフレーム画像２０および文字情報データ２６を同時に表示装置３０に表示できる。
【００７３】
以上の様に構成された画像表示装置１Ｈによれば、情報蓄積手段１２３に蓄積された二次元コード２８、フレーム画像２０および文字情報データ２６を画像編集手段１２７で画像編集して表示装置３０に表示するので、二次元コード２８の検索の際に、二次元コードとそれに対応するフレーム画像２０および文字情報データ２６とを同時に見ながら検索でき、より一層容易に検索できる。
【００７４】
実施の形態９．
この実施の形態に係る画像表示装置１Ｉは、実施の形態８において、編集画像１２８に、更にデコーダ６からの映像信号１０による映像（動画像）を組み込んだものである。
【００７５】
この画像表示装置１Ｉは、図１１（ａ）の様に、実施の形態８において、画像セレクタ１２１を省略し、デコーダ６からの映像信号１０を画像編集手段１２７に入力し、情報蓄積手段１２７からの合成画像１２８を表示装置３０に出力する様にしたものである。
【００７６】
尚、図１１（ｂ）は、情報蓄積手段１２３に、二次元コード２８とフレーム画像２０と文字情報データ２６とを対応させて蓄積した状態を示した図である。
【００７７】
この画像表示装置１Ｉでは、実施の形態８と同様に、画像編集手段１２７により、操作部１０３の操作に応じて、情報蓄積手段１２３に蓄積されたフレーム画像２０、文字情報データ２６および二次元コード２８から、サムネール画像２０ａ、画像化された文字情報データ２６および二次元コード２８が作成される。
【００７８】
そしてこの実施の形態では、画像編集手段１２７において、デコード手段１２７ｄによりデコーダ６からの映像信号１０が復調され、そして作業用フレームバッファ１２７ｃの一部の領域に、上記のサムネール画像２０ａ、画像化された文字情報データ２６および二次元コード２８が配置される共に、作業用フレームバッファ１２７ｃの他の領域に、上記の復調された映像信号１０の映像が配置される。これにより編集画像１２８が作成される。そしてその編集画像１２８は、表示装置３０に表示される。
【００７９】
ここでは、編集画像１２８は、図１１（ａ）の画像３０ａの様に、互いに対応したサムネール画像２０ａ、二次元コード２８および文字情報データ２８が編集画像１２８の上側および左側の周縁領域に表示され、デコーダ６からの映像信号１０による映像１０ａが編集画像１２８の略中央の領域に表示される様に構成される。
【００８０】
また画像編集手段１２８は、操作部１０３の操作により、デコーダ６からの映像信号１０だけを表示装置３０に表示し、または実施の形態１の様にその映像信号１０に二次元コードを画像合成して合成画像を作成し、その合成画像を表示装置３０に表示する。これにより実施の形態１と同様の効果を得る。
【００８１】
尚、この実施の形態では、二次元コード生成器２７は、表示装置３０に画像編集手段で作成された前記合成画像が表示されている場合に、文字情報比較手段１０２が違いが有ると判定した場合に、新たな文字情報データ２６ｂから新たな二次元コード２８を生成し、表示装置３０に表示中の二次元コード２８を画像編集手段１２７を介して新たな二次元コード２８に更新する。これにより実施の形態２と同様の効果を得る。
【００８２】
以上の様に構成された画像表示装置１Ｉによれば、編集画像１２８には、二次元コード２８、文字情報データ２６およびサムネール画像２０ａに加えて、デコーダ６からの映像信号１０による映像１０ａも表示されるので、映像１０ａを見ながら、情報蓄積手段１２３に蓄積された二次元コードの検索ができる。
【００８３】
尚、実施の形態１〜９を組み合わせたものも、技術範囲に含まれるものとする。
【産業上の利用可能性】
【００８４】
本発明の活用例として、テレビ、映像ストレージ機器、プロジェクタ等の映像表示装置に適用され、その映像表示装置に取り込まれる映像信号に含まれる文字情報を二次元コード化して表示画像中に映し出すことにより、携帯電話などの二次元コード取り込み機能を持った携帯情報端末に簡単に文字情報を取り込むことができる。
【図面の簡単な説明】
【００８５】
【図１】（ａ）は実施の形態１に係る画像表示装置のブロック図であり、（ｂ）は二次元コード生成器２７で生成される２次元コード２８の一例図である。
【図２】（ａ）は図１（ａ）の文字情報抽出部１１のブロック図であり、（ｂ）はフレームバッファ２２から出力されるフレーム画像２２の一例図であり、（ｃ）は正規化処理部１５から出力される正規化された文字画像の一例図である。
【図３】実施の形態２に係る画像表示装置１Ｂのブロック図である。
【図４】実施の形態３に係る画像表示装置１Ｃのブロック図である。
【図５】実施の形態４に係る画像表示装置１Ｄのブロック図である。
【図６】（ａ）は実施の形態５に係る画像表示装置１Ｅのブロック図であり、（ｂ）は（ａ）の情報蓄積手段１２３に二次元コード２８とフレーム画像２０とを対応させて蓄積した状態を示した図である。
【図７】（ａ）は実施の形態６に係る画像表示装置１Ｆのブロック図であり、（ｂ）は（ａ）の情報蓄積手段１２３に二次元コード２８とフレーム画像２０と文字情報データ２６とを対応させて蓄積した状態を示した図である。
【図８】（ａ）は実施の形態７に係る画像表示装置１Ｇのブロック図であり、（ｂ）は（ａ）の情報蓄積手段１２３に二次元コード２８とフレーム画像２０と文字情報データ２６とを対応させて蓄積した状態を示した図である。
【図９】（ａ）は実施の形態８に係る画像表示装置１Ｈのブロック図であり、（ｂ）は（ａ）の情報蓄積手段１２３に二次元コード２８とフレーム画像２０と文字情報データ２６とを対応させて蓄積した状態を示した図である。
【図１０】図９（ａ）の画像編集手段１２７のブロック図である。
【図１１】（ａ）は実施の形態９に係る画像表示装置１Ｉのブロック図であり、（ｂ）は（ａ）の情報蓄積手段１２３に二次元コード２８とフレーム画像２０と文字情報データ２６とを対応させて蓄積した状態を示した図である。
【符号の説明】
【００８６】
１，１Ｂ〜１Ｉ  画像表示装置、２  Ａ／Ｄコンバータ、３，５  映像信号、４  コーデック処理部、６  デコーダ、７  デジタルチューナー、８  ストリーム、９  デジタルストリーム、１０  映像信号、１１  文字情報抽出器、２０  フレーム画像、２８  二次元コード、２９  画像合成器、１２６  合成画像、１２８  編集画像。
【図１】
2009288588.tif 000003
【図２】
2009288588.tif 000004
【図３】
2009288588.tif 000005
【図４】
2009288588.tif 000006
【図５】
2009288588.tif 000007
【図６】
2009288588.tif 000008
【図７】
2009288588.tif 000009
【図８】
2009288588.tif 000010
【図９】
2009288588.tif 000011
【図１０】
2009288588.tif 000012
【図１１】
2009288588.tif 000013